(57)【特許請求の範囲】
【請求項１】
情報処理装置であって、
着脱交換が可能な第１のバッテリおよび第２のバッテリと、
前記第１のバッテリを収納する第１のバッテリ収納部と、
前記第２のバッテリを収納する第２のバッテリ収納部と、
前記第１のバッテリまたは前記第２のバッテリを交換する場合に開放される蓋を有する蓋部と、
前記蓋部の蓋の開放状態を検出する蓋検出部と、
当該情報処理装置の動作を制御するシステム制御部とを備え、
前記蓋検出部により前記蓋部の蓋が開放状態であることが検出された場合に、前記システム制御部は、当該情報処理装置の消費電力が低下するように当該情報処理装置の動作を制限する制限モードを開始させ、
さらに、前記第１のバッテリおよび前記第２のバッテリのバッテリ残量を検出するバッテリ残量検出部を備え、
前記システム制御部は、前記バッテリ残量検出部により検出される前記第１のバッテリのバッテリ残量と前記第２のバッテリのバッテリ残量の合計値が所定の値以上である場合に、前記制限モードを終了させることを特徴とする情報処理装置。
【請求項２】
前記蓋部は、前記第１のバッテリを交換する場合に開放される第１の蓋と、前記第２のバッテリを交換する場合に開放される第２の蓋とを有し、
前記蓋検出部は、前記第１の蓋の開放状態を検出する第１の検出部と、前記第２の蓋の開放状態を検出する第２の検出部とを有し、
前記第１の検出部により前記第１の蓋が開放状態であること、または、前記第２の検出部により前記第２の蓋が開放状態であることが検出された場合に、前記システム制御部は、前記制限モードを開始させることを特徴とする請求項１記載の情報処理装置。
【請求項３】
前記制限モード中に、前記蓋検出部により前記蓋部が閉止状態であることが検出された後に、前記バッテリ残量検出部の検出値に基づいて、当該制限モード中に交換された装着後バッテリが充分に充電されていると判定された場合に、前記システム制御部は、前記制限モードを終了させることを特徴とする請求項１記載の情報処理装置。
【請求項４】
前記制限モードは、ＣＰＵの動作周波数と液晶ディスプレイのバックライトの輝度の少なくとも一方を低下させることで、システムの瞬断を抑制する、モードであることを特徴とする請求項１記載の情報処理装置。
【請求項５】
さらに、前記第１のバッテリおよび第２のバッテリの電力供給を制御する電源コントローラを備え、
前記電源コントローラは、前記第１の検出部により前記第１の蓋が開放状態であること、または、前記第２の検出部により前記第２の蓋が開放状態であることが検出された後に、開放状態であると検出された蓋を有する前記バッテリ収納部に収納されたバッテリからの放電を停止することを特徴とする請求項２記載の情報処理装置。
【請求項６】
前記バッテリ残量検出部は、前記第１の検出部により前記第１の蓋が開放状態であること、または、前記第２の検出部により第２の蓋が開放状態であることが検出された後に、開放状態であると検出されなかった蓋を有するバッテリ収納部に収納された閉止側のバッテリの残量を検出し、
前記バッテリ残量検出部により検出された前記閉止側のバッテリのバッテリ残量をユーザに報知する報知部を備えることを特徴とする請求項２記載の情報処理装置。
【請求項７】
第１のバッテリ収納部に着脱可能に収納される第１のバッテリ、または、第２のバッテリ収納部に着脱可能に収納される第２のバッテリを交換する場合に、蓋部の蓋が開放される情報処理装置のバッテリ交換時の制御方法であって、
前記蓋部の蓋が開放状態であることを検出した場合に、前記情報処理装置の消費電力が低下するように、前記情報処理装置の動作を制限する制限モードを開始させるステップを実行し、
さらに、前記第１のバッテリおよび前記第２のバッテリのバッテリ残量を検出し、前記第１のバッテリのバッテリ残量と前記第２のバッテリのバッテリ残量の合計値が所定の値以上である場合に、前記制限モードを終了させるステップを実行することを特徴とする情報処理装置の制御方法。
【請求項８】
前記蓋部は、前記第１のバッテリを交換する場合に開放される第１の蓋と、前記第２のバッテリを交換する場合に開放される第２の蓋とを有し、
前記第１の蓋または前記第２の蓋が開放状態であることを検出した場合に、前記制限モードを開始させるステップを実行することを特徴とする請求項７記載の情報処理装置の制御方法。
【請求項９】
さらに、前記制限モード中に、前記蓋部が閉止状態であることが検出された後に、前記第１のバッテリおよび前記第２のバッテリのバッテリ残量を検出し、検出したバッテリ残量に基づいて、当該制限モード中に交換されたバッテリが充分に充電されていると判定された場合に、前記制限モードを終了させるステップを実行することを特徴とする請求項７記載の制御方法。
【請求項１０】
前記第１の蓋または前記第２の蓋が開放状態であることが検出された後に、開放状態であることが検出された蓋を有するバッテリ収納部に収納されたバッテリからの放電を停止するステップを実行することを特徴とする請求項８記載の制御方法。
【請求項１１】
前記第１の蓋または前記第２の蓋が開放状態であることが検出された後に、開放状態であると検出されなかった蓋を有するバッテリ収納部に収納されたバッテリのバッテリ残量を検出し、検出したバッテリ残量を表示するステップを実行することを特徴とする請求項８記載の制御方法。
【発明の詳細な説明】
【技術分野】
【０００１】
本開示は、複数のバッテリを備える情報処理装置および情報処理装置の制御方法に関する。
【背景技術】
【０００２】
従来、医療現場の医療関係者や、飲食店等の従業員が持ち運びながら使用できる情報処理装置がある。かかる情報処理装置は、充電を繰り返しながら利用できる複数のバッテリを備えている。そのため、ＡＣ（Ａｌｔｅｒｎａｔｉｎｇ  Ｃｕｒｒｅｎｔ）電源のない場所であっても、バッテリを起動させることによって、システム本体を動作させることができる。また、情報処理装置を持ち運ばない時は、ＡＣ電源に接続することによりバッテリに充電することができる。
【０００３】
このような情報処理装置は、使用する上記の場所において、長時間の間、充電することなく使用する場合、バッテリの残量が低下するため、電源を切らないまま複数のバッテリの一部を予備のバッテリと差し替える（ホットスワップ）必要がある。その際、バッテリを抜き出すと、差し替えが終了するまでの期間、残されたバッテリでシステムの動作を継続する必要がある。この期間に、必要とされる電力に対しバッテリ残量が少ない場合には、システムが瞬断されるという問題がある。
【０００４】
ここで、特許文献１には、バッテリ残量が低下した場合に、システム動作や消費電力の調整を行うことが開示されている。また、特許文献２には、主電池の電力供給状態に異常が生じた場合に、応急電池からの電力をコンピュータの各部に供給する切替手段が備えられることが開示されている。
【先行技術文献】
【特許文献】
【０００５】
【特許文献１】特開平５−３１３７９４号公報
【特許文献２】特開平５−１２７７８６号公報
【発明の概要】
【発明が解決しようとする課題】
【０００６】
しかしながら、いずれの従来技術においても、情報処理装置のバッテリ交換に伴うシステムの瞬断を防止することについては一切言及されていない。つまり、情報処理装置を使用したままバッテリ交換を行うような技術ではない。
【０００７】
本開示は、バッテリ交換時にシステムが瞬断されることを抑制できる情報処理装置および情報処理装置の制御方法を提供する。
【課題を解決するための手段】
【０００８】
本開示の情報処理装置は、着脱交換が可能な第１のバッテリおよび第２のバッテリと、第１のバッテリを収納する第１のバッテリ収納部と、第２のバッテリを収納する第２のバッテリ収納部と、第１のバッテリまたは第２のバッテリを交換する場合に開放される蓋を有する蓋部と、蓋部の蓋の開放状態を検出する蓋検出部と、この情報処理装置の動作を制御するシステム制御部とを備え、蓋検出部により蓋部の蓋が開放状態であることが検出された場合に、システム制御部は、この情報処理装置の消費電力が低下するようにこの情報処理装置の動作を制限する制限モードを開始させる。
【発明の効果】
【０００９】
本開示によれば、バッテリ交換時にシステムが瞬断されることがないよう、情報処理装置の動作を制限して情報処理装置の消費電力を低下させる情報処理装置および情報処理装置の制御方法を提供することができる。
本開示のこれら及び他の目的、特徴、局面、効果は、添付図面と照合して、以下の詳細な説明から一層明らかになるであろう。
【図面の簡単な説明】
【００１０】
【図１】本開示の一実施形態（第１の実施の形態）にかかる情報処理装置の構成を示す模式図
【図２】本開示の一実施形態（第１の実施の形態）にかかる情報処理装置の制御フローを示すフローチャート
【図３】本開示の一実施形態（第１の実施の形態）にかかる情報処理装置のバッテリ交換の流れを説明するフローチャート
【図４】本開示の一実施形態（第２の実施の形態）にかかる情報処理装置の構成を示す模式図
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するものであって、これらによってクレームに記載の主題を限定することを意図するものではない。
【００１２】
（第１の実施の形態）
以下、本実施の形態にかかる情報処理装置１００を、図面を参照しながら説明する。図１は、本実施の形態にかかる情報処理装置１００の構成を示す模式図である。
【００１３】
図１に示されるように、本実施の形態にかかる情報処理装置１００は、電源スイッチ１０１と、第１のバッテリ１０２と、第２のバッテリ１０３と、ＣＰＵ（Ｃｅｎｔｒａｌ  Ｐｒｏｃｅｓｓｉｎｇ  Ｕｎｉｔ）１０４と、液晶ディスプレイ１０５と、電源コントローラ１０６とを含む。情報処理装置１００では、第１のバッテリ１０２が、第１の蓋１０７を有する第１のバッテリ収納部１０８に抜差可能に収納され、第２のバッテリ１０３が、第２の蓋１０９を有する第２のバッテリ収納部１１０に抜差可能に収納されている。第１のバッテリ１０２および第２のバッテリ１０３は、着脱交換が可能に設けられている。第１の蓋１０７と第２の蓋１０９は、蓋部を構成している。また、情報処理装置１００は、第１の蓋１０７の開放状態を検出する第１の検出部１１１と、第２の蓋１０９の開放状態を検出する第２の検出部１１２と、ＣＰＵ１０４の動作周波数を増減させるＣＰＵ制御部１１３と、液晶ディスプレイ１０５のバックライト輝度を増減させる液晶ディスプレイ制御部１１４とを有する。第１の検出部１１１と第２の検出部１１２は、蓋部の蓋１０７，１０９の開放状態を検出する蓋検出部を構成している。なお、情報処理装置１００は、ＣＰＵ制御部１１３と液晶ディスプレイ制御部１１４との少なくとも一方だけを備えていればよい。以下、各構成について説明する。
【００１４】
＜電源スイッチ１０１について＞
電源スイッチ１０１について説明する。電源スイッチ１０１は、本実施の形態にかかる情報処理装置１００を起動するためのスイッチである。電源スイッチ１０１をＯＮにすると情報処理装置１００が起動し、電源スイッチ１０１をＯＦＦにすると情報処理装置１００が停止する。電源スイッチ１０１には、従来公知のスイッチ機構を採用することができる。
【００１５】
＜第１のバッテリ１０２および第２のバッテリ１０３について＞
第１のバッテリ１０２および第２のバッテリ１０３について説明する。第１のバッテリ１０２および第２のバッテリ１０３は、情報処理装置１００に備えられるバッテリであり、情報処理装置１００を駆動するための駆動用電源として機能する。バッテリとしては、ニッケルカドミウム電池やニッケル水素電池などの水溶液系電池のほかに、急速充電が可能で体積エネルギー密度および重量エネルギー密度が共に高いリチウム二次電池等の非水電解液電池を採用することができる。バッテリの数としては特に制限されず、複数が備えられていてもよく、本実施の形態では、第１のバッテリ１０２および第２のバッテリ１０３の２つが備えられている場合を示している。しかし、バッテリの数は、３つ以上であってもよい。また、これら第１のバッテリ１０２および第２のバッテリ１０３を同時に使用する方式を採用してもよいし、１つのバッテリを主バッテリとして使用し、他のバッテリを予備バッテリとして使用する方式を採用してもよい。また、図示しないが、バッテリ１０２，１０３は、充電・放電時に適切な監視・制御が必要であるため、バッテリ制御基板と接続して利用される。
【００１６】
それぞれのバッテリ１０２，１０３は、第１のバッテリ収納部１０８および第２のバッテリ収納部１１０にそれぞれ収納されている。第１のバッテリ収納部１０８には、第１のバッテリ１０２を内部に閉止するための第１の蓋１０７が設けられている。第１のバッテリ収納部１０８には、第１のバッテリ１０２を出し入れするための第１の出入口が形成され、その第１の出入口が第１の蓋１０７により開閉される。第１の蓋１０７は、情報処理装置１００の外面に設けられ、第１のバッテリ１０２を交換する場合に開放される。一方、第２のバッテリ収納部１１０には、第２のバッテリ１０３を内部に閉止するための第２の蓋１０９が設けられている。第２のバッテリ収納部１１０には、第２のバッテリ１０３を出し入れするための第２の出入口が形成され、その第２の出入口が第２の蓋１０９により開閉される。第２の蓋１０９は、情報処理装置１００の外面に設けられ、第２のバッテリ１０３を交換する場合に開放される。
【００１７】
情報処理装置１００は、第１の蓋１０７が開放状態であるか閉止状態であるかを検出する第１の検出部１１１と、第２の蓋１０９が開放状態であるか閉止状態であるかを検出する第２の検出部１１２とを備えている。第１の検出部１１１の検出機構としては、たとえば、第１の蓋１０７に備え付けたマグネットと、第１のバッテリ収納部１０８における第１の出入口の近傍に備え付けられて、磁力を検出する磁力検出部とを有する検出機構を採用することができる。この場合、第１の検出部１１１は、この検出機構に加えて、この検出機構の磁力検出部に接続された判定回路も備えている。この判定回路は、磁力検出部の出力信号に基づいて、第１の蓋１０７の開閉状態を判定し、その判定結果を電源コントローラ１０６に出力する。第１の検出部１１１は、磁力検出部がマグネットの磁力を検出した場合（例えば、磁力検出部により検出される磁力が所定の判定値以上の場合）に、第１の蓋１０７が閉止状態であると検出し、磁力検出部がマグネットの磁力を検出しない場合（例えば、磁力検出部により検出される磁力が上記判定値未満の場合）に、第１の蓋１０７が開放状態であると検出する。第２の検出部１１２は、第１の検出部１１１と同じ検出機構及び判定回路を採用している。また、上記検出機構の代わりに、蓋１０７，１０９が閉止状態である場合にのみ通電し、蓋１０７，１０９が開放状態である場合に通電が解除される検出機構等を採用することができる。このような検出機構を蓋１０７，１０９およびバッテリ収納部１０８，１１０における出入口の近傍に設け、第１の検出部１１１、第２の検出部１１２の判定回路により、蓋１０７，１０９の開閉状態を検出することができる。なお、判定回路は、検出機構に内蔵されていてもよい。
【００１８】
第１の蓋１０７および第２の蓋１０９は、たとえば、ヒンジを備え、そのヒンジを用いて開閉されるように構成される。第１の蓋１０７および第２の蓋１０９の機構は、特に限定されず、たとえばラッチ機構を採用して、第１の蓋１０７および第２の蓋１０９をラッチ蓋とすることができる。また、第１の蓋１０７および第２の蓋１０９は、扉のように開閉するのではなく、全体がバッテリ収納部１０８，１１０の出入口の縁に対して着脱自在であってもよい。
【００１９】
＜ＣＰＵ１０４について＞
ＣＰＵ１０４について説明する。ＣＰＵ１０４は、情報処理装置１００の補助記憶装置（図示せず）にあるプログラムを順に読み込んで解釈・実行するために設けられている。電源コントローラ１０６の制御に基づきＣＰＵ１０４が起動されることにより、ＢＩＯＳ等のシステムの起動、オペレーションシステム（ＯＳ）の起動等が制御される。
【００２０】
ＣＰＵ１０４は、動作周波数により消費する電圧が大きく異なるため、ＣＰＵ制御部１１３により、必要時に動作周波数が低減されるよう制御される。このような制御をバッテリ交換時に行うことにより、バッテリ交換時にシステム（たとえば、ＢＩＯＳ等のシステム、オペレーションシステム）が瞬断される事態を効果的に防止することができる。
【００２１】
＜液晶ディスプレイ１０５について＞
液晶ディスプレイ１０５について説明する。液晶ディスプレイ１０５は、システムの起動状態等を表示するために設けられている。液晶ディスプレイ１０５としては、従来公知のディスプレイを採用することができ、たとえば透過型液晶ディスプレイ１０５等を使用することができる。透過型液晶ディスプレイ１０５は、バックライトと呼ばれる面状照明装置（面状光源）を備え、そのバックライトからの照明光を液晶パネルによって空間変調して画像を形成する。
【００２２】
液晶ディスプレイ１０５は、バックライト輝度により消費する電圧が大きく異なるため、液晶ディスプレイ制御部１１４により、必要時にバックライト輝度が低減されるよう制御される。このような制御をバッテリ交換時に行うことにより、バッテリ交換時にシステムが瞬断される現象を効果的に防止することができる。
【００２３】
＜電源コントローラ１０６について＞
電源コントローラ１０６について説明する。電源コントローラ１０６は、電源スイッチ１０１がＯＮにされた後に、情報処理装置１００に備えられる内部機器にバッテリ１０２，１０３の電力を供給するために設けられている。図１では、ＣＰＵ１０４、液晶ディスプレイ１０５などが内部機器に相当する。また、電源コントローラ１０６は、第１の蓋１０７が開放状態であることを検出する第１の検出部１１１と、第２の蓋１０９が開放状態であることを検出する第２の検出部１１２とに接続されている。さらに、電源コントローラ１０６は、ＣＰＵ制御部１１３と、液晶ディスプレイ制御部１１４とに接続されている。電源コントローラ１０６は、第１の検出部１１１により第１の蓋１０７が開放状態であることが検出される第１条件、または、第２の検出部１１２により第２の蓋１０９が開放状態であることが検出される第２条件が成立する場合に、第１条件または第２条件が成立する直前の状態（例えば、通常の動作状態）よりも、情報処理装置１００の消費電力が低下するように情報処理装置１００の動作を制限する制限モードを開始する。電源コントローラ１０６は、制限モードを開始する際に、ＣＰＵ制御部１１３と液晶ディスプレイ制御部１１４とに制限指令を出力する。ＣＰＵ制御部１１３は、制限指令を受けてＣＰＵ１０４の動作周波数を低減し、液晶ディスプレイ制御部１１４は、制限指令を受けて液晶ディスプレイ１０５のバックライト輝度を低減する。電源コントローラ１０６は、かかる構成を有することにより、第１の蓋１０７または第２の蓋１０９が開放された際に、一方の蓋１０７，１０９が開放状態になったことを、検出部１１１，１１２を用いて検出し、ＣＰＵ１０４の動作周波数を低減させ、液晶ディスプレイ１０５のバックライト輝度を低減させる。これにより、バッテリ交換時に、交換しない方のバッテリ１０２，１０３に高い電圧が印加された場合であっても、システムが瞬断することを抑制することができる。なお、電源コントローラ１０６は、第１条件または第２条件が成立した場合に、ＣＰＵ１０４の動作周波数のみを低減させてもよいし、液晶ディスプレイ１０５のバックライト輝度のみを低減させてもよい。
【００２４】
なお、本実施の形態にかかる情報処理装置１００において、たとえば第１のバッテリ１０２を交換する際に、第１のバッテリ１０２を抜き出した後、予備のバッテリが装填され、その後、第１の蓋１０７が閉止される。ここで、電源コントローラ１０６は、第１の蓋１０７の閉止後に、第１のバッテリ１０２および第２のバッテリ１０３のバッテリ残量をそれぞれ算出し、その合計値を検出するバッテリ残量検出部（図示せず）を備えることが好ましい。その場合に、電源コントローラ１０６は、バッテリ残量検出部により検出されたバッテリ残量が所定のバッテリ残量判定値以上である場合（たとえば１００％充電時に対して５０％以上の残量がある場合）には、ＣＰＵ１０４の動作周波数と液晶ディスプレイ１０５のバックライト輝度を低減させる制限モードを終了させ、ＣＰＵ１０４の動作周波数と液晶ディスプレイ１０５のバックライト輝度を、低減前の状態に戻す低減停止部を備えることが好ましい。これにより、ユーザは、たとえば、バッテリ残量が充分であるバッテリが装填された場合には、ＣＰＵ１０４の動作周波数と液晶ディスプレイ１０５のバックライト輝度が低減前の状態に戻るため、直感的に、充分な充電がなされた状態であることを把握することができる。一方、ユーザが予備のバッテリを所持していない場合においてバッテリ１０２を装填することなく蓋１０７を閉止した場合や、充分に充電されていないバッテリ１０２を装填して蓋１０７を閉止した場合には、バッテリ残量検出部により検出されたバッテリ残量が所定のバッテリ残量判定値を下回る可能性がある。この場合、ＣＰＵ１０４の動作周波数と液晶ディスプレイ１０５のバックライト輝度は低減前の状態に戻らないため、ユーザに早期のバッテリ交換を促すことができる。なお、バッテリ残量検出部は、第１のバッテリ１０２のバッテリ残量と第２のバッテリ１０３のバッテリ残量の合計値ではなく、第１のバッテリ１０２のバッテリ残量と、第２のバッテリ１０３のバッテリ残量とをそれぞれ検出してもよい。その場合に、電源コントローラ１０６は、第１の検出部１１１および第２の検出部１１２を用いて、今回交換された装着後バッテリ１０２，１０３を把握し、装着後バッテリ１０２，１０３のバッテリ残量が所定のバッテリ残量判定値以上である場合に、制限モードを終了させてもよい。また、電源コントローラ１０６は、第１のバッテリ１０２のバッテリ残量と、第２のバッテリ１０３のバッテリ残量との少なくとも一方が所定のバッテリ残量判定値以上の場合に、制限モードを終了させてもよい。
【００２５】
また、電源コントローラ１０６は、第１の蓋１０７または第２の蓋１０９のいずれか一方が開放状態に変化したことが検出された後に、開放状態へ変化した蓋１０７，１０９を有するバッテリ収納部１０８，１０９に収納されたバッテリ１０２，１０３からの放電を停止する放電停止部を備えていてもよい。すなわち、第１のバッテリ１０２を交換する際に、第１の蓋１０７が開放されると、第１のバッテリ１０２から情報処理装置１００の内部機器への電力の供給が停止される。これにより、より安全にバッテリ交換を行うことができる。
【００２６】
さらに、電源コントローラ１０６は、第１の蓋１０７または第２の蓋１０９のいずれか一方が開放状態へ変化したことが検出された後に、閉止状態の他方の蓋１０７，１０９を有するバッテリ収納部１０８，１０９に収納された閉止側のバッテリ１０２，１０３の残量を検出する第２のバッテリ残量検出部（図示せず）と、その第２のバッテリ残量検出部により検出されたバッテリ残量をユーザに報知する報知部とを備えていてもよい。報知部は、たとえば、第２のバッテリ残量検出部により検出されたバッテリ残量を表示する。すなわち、たとえば第１の蓋１０７が開放されたことを第１の検出部１１１が検出すると、第２のバッテリ残量検出部は、第２のバッテリ１０３（閉止側のバッテリ）の残量を検出する。検出されたバッテリ残量に基づいて、報知部は、所定の表示態様によりバッテリ残量をユーザに視認可能に表示する。報知部は、情報処理装置１００の筺体の一部にユーザに視認可能に設けられている。なお、報知部は、液晶ディスプレイ１０５であってもよい。その場合は、第２のバッテリ残量検出部により検出された第２のバッテリ１０３の残量が、液晶ディスプレイ１０５中に表示される。また、バッテリ残量を数字で表示するのとは別の手段で、第２のバッテリ残量検出部により検出された閉止側のバッテリ１０２，１０３のバッテリ残量をユーザに知らせてもよい。報知部としては、特に限定されず、ＬＥＤを点灯させる等の方法を採用することができる。また、ＬＥＤ以外の各種照明装置を点灯させてもよい。この場合は、第２のバッテリ残量検出部により検出されたバッテリ残量に応じて、点灯周期を変化させたり、点灯する色光を変化させたりする。また、バッテリ残量と共に、又はバッテリ残量の代わりに、バッテリ残量から換算した残り使用可能時間を表示してもよい。
【００２７】
電源コントローラ１０６は、ＬＳＩなどの集積回路や、専用の信号処理回路を用いて１チップ化したものに、図２および図３の右側に示されるフローチャートを実行するようプログラムを組み込むことよって実現される。なお、ここでは、ＬＳＩとしたが、集積度の違いにより、ＩＣ、システムＬＳＩ、スーパーＬＳＩ、ウルトラＬＳＩと呼称されることもある。また集積回路化の手法は、ＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。さらには、半導体技術の進歩または派生する別技術によりＬＳＩに置き換わる集積回路化の技術が登場すれば、当然、その技術を用いて機能ブロックの集積化を行ってもよい。
【００２８】
＜その他の内部機器について＞
なお、本実施の形態にかかる情報処理装置１００には、上記内部機器以外にも、その他の内部機器として、ＨＤＤ（Ｈａｒｄ  Ｄｉｓｋ  Ｄｒｉｖｅ）等の補助記憶装置、ＤＶＤ（Ｄｉｇｉｔａｌ  Ｖｅｒｓａｔｉｌｅ  Ｄｉｓｃ）ドライブ等の情報記憶媒体の読取装置、グラフィックボード、冷却ファン等を設けることができる。
【００２９】
以下、本実施の形態の情報処理装置１００の制御方法について説明する。図２は、本実施の形態にかかる情報処理装置１００の制御フローを示すフローチャートである。図３は、本実施の形態にかかる情報処理装置１００のバッテリ交換の流れを説明するフローチャートである。
【００３０】
本実施の形態にかかる情報処理装置１００は、図２に示されるように、第１の蓋１０７と第２の蓋１０９が閉止された状態（ステップＳ１０１）において、ステップＳ１０２へ移行し、電源コントローラ１０６により制御される第１の検出部１１１または第２の検出部１１２により、第１の蓋１０７または第２の蓋１０９の一方が開放された状態であるか否かが判定される。ステップＳ１０２において、第１の検出部１１１と第２の検出部１１２により、第１の蓋１０７と第２の蓋１０９の一方だけが開放されたことが検出された場合は、制限モードが開始され、ＣＰＵ制御部１１３により、ＣＰＵ１０４の動作周波数が低減される（ステップＳ１０３）。ステップＳ１０３が終了すると、ステップ１０２へ戻る。ステップ１０２において、開放された蓋１０７，１０９が閉止されたことが検出された場合には、制限モードが終了し、ＣＰＵ１０４の動作周波数が低減前の状態に戻される（ステップＳ１０４）。なお、図２は、制限モードにおいてＣＰＵ１０４の動作周波数を低減する場合のフローチャートである。しかし、ステップＳ１０３において、ＣＰＵ１０４の動作周波数と共に、または、ＣＰＵ１０４の動作周波数の代わりに、液晶ディスプレイ１０５のバックライト輝度を低減させてもよい。この場合は、ステップＳ１０４で、液晶ディスプレイ１０５のバックライト輝度が低減前の状態に戻される。また、ステップＳ１０１から移行したステップＳ１０２において、第１の蓋１０７または第２の蓋１０９の一方が開放されたことが検出されない場合は、ステップＳ１０４へ移行するが、制限モード中ではないため、ＣＰＵの動作周波数を変更することなく、ステップＳ１０１へ戻る。
【００３１】
次に、バッテリ交換時の流れについて説明する。ユーザが第１のバッテリ１０２または第２のバッテリ１０３を交換する際に、第１の蓋１０７または第２の蓋１０９の一方が開放されると（ステップＳ２０１）、電源コントローラ１０６により制御される第１の検出部１１１または第２の検出部１１２により、第１の蓋１０７または第２の蓋１０９の一方が開放されたことが検出され（ステップＳ２０２）、電源コントローラ１０６により制御されるＣＰＵ制御部１１３により、ＣＰＵ１０４の動作周波数が、低減される（ステップＳ２０３）。たとえば第１のバッテリ１０２を交換する場合には、第１のバッテリ収納部１０８から第１のバッテリ１０２が抜き出され（ステップＳ２０４）、新たなバッテリが第１のバッテリ１０２として第１のバッテリ収納部１０８に装填される（ステップＳ２０５）。ユーザにより第１の蓋１０７が閉止されると（ステップＳ２０６）、電源コントローラ１０６により制御される第１の検出部１１１により第１の蓋１０７が閉止されたことが検出され（ステップＳ２０７）、ＣＰＵ１０４の動作周波数が低減前の状態に戻される（ステップＳ２０８）。なお、図３は、制限モードにおいてＣＰＵ１０４の動作周波数を低減する場合のフローチャートである。しかし、ステップＳ２０３において、ＣＰＵ１０４の動作周波数と共に、または、ＣＰＵ１０４の動作周波数の代わりに、液晶ディスプレイ１０５のバックライト輝度を低減させてもよい。この場合は、ステップＳ２０８で、液晶ディスプレイ１０５のバックライト輝度が低減前の状態に戻される。
【００３２】
なお、図３では、バッテリ交換するために開放された蓋１０７，１０９が閉止されたことを、その蓋１０７，１０９に対応する検出部１１１，１１２により検出した後に、ＣＰＵ１０４の動作周波数が低減前の状態に戻される場合を例に説明した。しかし、本実施の形態は、これに限定されない。たとえば、バッテリ交換するために開放された蓋１０７，１０９が閉止されたことを、その蓋１０７，１０９に対応する検出部１１１，１１２により検出した後に、バッテリ残量検出部により、この制限モード中に交換された装着後バッテリ１０２，１０３のバッテリ残量を検出してもよい。その場合、バッテリ残量検出部により検出されたバッテリ残量が所定のバッテリ残量判定値未満であると判断された場合には、ＣＰＵ１０４の動作周波数を低減前の状態に戻さないよう制御される。これにより、装着後バッテリ１０２，１０３のバッテリ残量が充分ではない場合に、ＣＰＵ１０４の動作周波数が低減前の状態に戻ることを阻止することができる。たとえば、バッテリ交換するために開放された蓋１０７，１０９が閉止されたことが、その蓋１０７，１０９に対応する検出部１１１，１１２により検出され、バッテリ残量検出部により、装着後バッテリのバッテリ残量（または、第１のバッテリ１０２のバッテリ残量と第２のバッテリ１０３のバッテリ残量の合計値）が検出された結果、検出されたバッテリ残量が３０％以上の場合にはＣＰＵ１０４の動作周波数を低減前の状態に戻し、３０％未満の場合にはＣＰＵ１０４の動作周波数を低減前の状態に戻さず、依然としてバッテリ残量が充分でないことを、報知部を用いて表示してもよい。これにより、ユーザにバッテリ交換後もバッテリ残量が充分でないことを報知することができる。
【００３３】
また、本実施の形態では、制限モードにおいてＣＰＵ１０４の動作周波数と液晶ディスプレイ１０５のバックライト輝度とを低減させたが、情報処理装置１００の消費電力が低下するように、情報処理装置１００を構成する他の内部機器の動作を制限してもよいことは言うまでもない。
【００３４】
また、本実施の形態では、第１の蓋１０７または第２の蓋１０９の一方が開放状態であることが検出された場合に、他方の蓋１０７，１０９の開閉状態によらず、制限モードを開始しているが、第１の蓋１０７または第２の蓋１０９の一方が開放状態で且つ他方が閉止状態である場合に、制限モードを開始してもよい。また、第１の蓋１０７および第２の蓋１０９の両方が開放状態である場合にも、制限モードを行ってもよい。その場合に、例えば、第１の蓋１０７が開放状態であることと、第２の蓋１０９が開放状態であることが同時に検出された場合に制限モードを開始してもよいし、第１の蓋１０７または第２の蓋１０９の一方が開放状態であることが検出された結果として制限モードが開始された後に、他方の蓋１０７，１０９が閉止状態から開放状態へ変化した場合に制限モードをそのまま継続してもよい。
【００３５】
（第２の実施の形態）
第２の実施形態について説明する。図４は、本実施の形態にかかる情報処理装置１５０の構成を示す模式図である。図４では、第１の実施の形態と同じ構成は同じ符号を付している。以下では、第１の実施の形態と異なる点について説明する。
【００３６】
本実施の形態は、蓋部が、第１のバッテリ１０２を第１のバッテリ収納部１０８の内部に閉止し、第２のバッテリ１０３を第２のバッテリ収納部１１０の内部に閉止するための、１つの蓋１５１を備えている。蓋１５１は、第１のバッテリ１０２または第２のバッテリ１０３を交換する場合に開放される。
【００３７】
情報処理装置１５０は、蓋１５１の開閉状態を検出する検出部１５２（蓋検出部）を備えている。検出部１５２には、第１の実施の形態の第１の検出部１１１と同じ構成を採用することができる。検出部１５２は、電源コントローラ１０６に接続されている。なお、図４では、マグネットおよび磁力検出部を備える検出部１５２を、第２のバッテリ収納部１１０側に設けているが、第１のバッテリ収納部１０８側に設けてもよい。
【００３８】
本実施の形態にかかる情報処理装置１５０は、検出部１５２により、蓋１５１が閉止された状態から、蓋１５１が開放された状態へ変わったことが検出された場合に、制限モードが開始され、ＣＰＵ制御部１１３により、ＣＰＵ１０４の動作周波数が低減される。そして、制限モード中に、蓋１５１が閉止されたことが検出された場合に、制限モードが終了し、ＣＰＵ１０４の動作周波数が低減前の状態に戻される。なお、制限モードにおいて、ＣＰＵ１０４の動作周波数と共に、または、ＣＰＵ１０４の動作周波数の代わりに、液晶ディスプレイ１０５のバックライト輝度を低減させてもよい。
【００３９】
なお、制限モードは、バッテリ交換後のバッテリ残量が不十分な場合には終了させずに、バッテリ残量検出部により検出される第１のバッテリ１０２のバッテリ残量と第２のバッテリ１０３のバッテリ残量の合計値（または、装着後バッテリのバッテリ残量）が所定の値以上である場合に終了させてもよい。また、蓋１５１が開放状態であることを検出した後に、蓋検出部以外の構成により交換対象のバッテリを検出し、検出したバッテリからの放電を停止してもよい。この場合、例えば、第１のバッテリ１０２と第２のバッテリ１０３のうちバッテリ残量が少ない方を、交換対象のバッテリとして検出することができる。また、蓋１５１が開放状態であることを検出した後に、交換対象ではないバッテリを検出し、検出したバッテリのバッテリ残量をユーザに報知してもよい。
【００４０】
＜効果等＞
以上、第１および第２の実施の形態にかかる情報処理装置によれば、バッテリ交換時にシステムが瞬断されることがないよう、情報処理装置の動作を制限して情報処理装置の消費電力を低下させる情報処理装置および情報処理装置の制御方法を提供することができる。
【００４１】
ここで、第１および第２の実施の形態において、上述したように、第１のバッテリ１０２および第２のバッテリ１０３のバッテリ残量を検出するバッテリ残量検出部を備えていてもよい。
これにより、たとえばバッテリ交換後に充分なバッテリ残量を有しているか判定することができる。そして、バッテリ残量が充分な場合には、制限された情報処理装置の各部の動作を制限前の状態に戻すことができる。一方、バッテリ残量が充分でない場合には、引き続き内部機器の動作の制限を継続することにより、ユーザに再度バッテリ交換を促すとともに、システムが瞬断されないようにすることができる。
【００４２】
第１および第２の実施の形態において、上述したように、制限モードは、ＣＰＵ１０４の動作周波数と液晶ディスプレイ１０５のバックライトの輝度の少なくとも一方を低下させるモードであってもよい。
これにより、バッテリ交換時におけるシステムの瞬断を効果的に抑制できる。
【００４３】
第１の実施の形態において、上述したように、蓋部は、第１のバッテリ１０２を交換する場合に開放される第１の蓋１０７と、第２のバッテリ１０３を交換する場合に開放される第２の蓋１０９とを有し、蓋検出部は、第１の蓋１０７の開放状態を検出する第１の検出部１１１と、第２の蓋１０９の開放状態を検出する第２の検出部１１２とを有し、第１の検出部１１１により第１の蓋１０７が開放状態であること、または、第２の検出部１１２により第２の蓋１０９が開放状態であることが検出された場合に、システム制御部は、制限モードを開始させる。さらに、第１のバッテリ１０２および第２のバッテリ１０３の電力供給を制御する電源コントローラ１０６を備え、電源コントローラ１０６は、第１の検出部１１１により第１の蓋１０７が開放状態であること、または、第２の検出部１１２により第２の蓋１０９が開放状態であることが検出された後に、開放状態であると検出された蓋を有するバッテリ収納部に収納されたバッテリからの放電を停止してもよい。
これにより、より安全にバッテリ交換を行うことができる。
【００４４】
また、第１の実施の形態において、上述したように、バッテリ残量検出部は、第１の検出部１１１により第１の蓋１０７が開放状態であること、または、第２の検出部１１２により第２の蓋１０９が開放状態であることが検出された後に、開放状態であると検出されなかった蓋を有するバッテリ収納部に収納された閉止側のバッテリの残量を検出し、バッテリ残量検出部により検出された閉止側のバッテリのバッテリ残量をユーザに報知する報知部を備えていてもよい。
これにより、たとえば予備のバッテリを有していない場合であっても、残されたバッテリのみで、どの程度の時間、情報処理装置を使用し続けることができるのかをユーザが直感的に把握することができる。
【００４５】
また、第１および第２の実施の形態の情報処理装置の制御方法は、第１のバッテリ収納部１０８に着脱可能に収納される第１のバッテリ１０２、または、第２のバッテリ収納部１１０に着脱可能に収納される第２のバッテリ１０３を交換する場合に、蓋部の蓋が開放される情報処理装置のバッテリ交換時の制御方法であって、蓋部の蓋が開放状態であることを検出した場合に、情報処理装置の消費電力が低下するように、情報処理装置の動作を制限する制限モードを開始させるステップを実行する。
これにより、バッテリ交換時にシステムが瞬断されることを抑制できる情報処理装置の制御方法を提供することができる。
【００４６】
なお、第１および第２の実施の形態において、これらの情報処理装置１００の内部機器の動作状態は、それぞれの内部機器を制御する各制御部（ＣＰＵ制御部１１３、液晶ディスプレイ制御部１１４等）によって制御されるが、これらの制御部は、システム制御部として総称される。
【００４７】
以上のように、本開示における実装（インプリメンテーション）の例示として、実施の形態を説明した。そのため、添付図面および詳細な説明を提供した。
したがって、添付図面および詳細な説明に記載された構成要素の中には、課題解決のために必須な構成要素だけでなく、上記実装を例示するために、課題解決のためには必須ではない構成要素も含まれ得る。そのため、それらの必須ではない構成要素が添付図面や詳細な説明に記載されているからといって、直ちにそれらの必須ではない構成要素が必須であるとの認定を受けるべきではない。
また、上述の実施の形態は、実装を例示するためのものであるから、クレームまたはその均等な範囲において種々の変更、置き換え、付加、省略などを行うことができる。
【産業上の利用可能性】
【００４８】
本開示は、たとえば、医療現場の医療関係者や、飲食店等の従業員が持ち運びながら使用できる情報処理装置等の分野で好適に利用することができる。
【符号の説明】
【００４９】
１００、１５０  情報処理装置
１０１  電源スイッチ
１０２  第１のバッテリ
１０３  第２のバッテリ
１０４  ＣＰＵ
１０５  液晶ディスプレイ
１０６  電源コントローラ
１０７  第１の蓋（蓋部）
１０８  第１のバッテリ収納部
１０９  第２の蓋（蓋部）
１１０  第２のバッテリ収納部
１１１  第１の検出部（蓋検出部）
１１２  第２の検出部（蓋検出部）
１１３  ＣＰＵ制御部（システム制御部）
１１４  液晶ディスプレイ制御部（システム制御部）
１５１  蓋（蓋部）
１５２  検出部（蓋検出部）
【図１】
0005988142.tif 000002
【図２】
0005988142.tif 000003
【図３】
0005988142.tif 000004
【図４】
0005988142.tif 000005